(57)【要約】【課題】凹部のある単位体を積み重ねた積層型容器の端側の単位体の凹部を貯留域に用いいて貯留容量の大きくすること。【解決手段】複数個の単位体２を積み重ねて隣接する単位体２，２の重合箇所を水密に接合して積層体３が形成され、積層体３の一端側（図中の上端側）の単位体２の開口先端側に仲介体４を介して蓋体５を水密に接合したこと。【選択図】図３
2007039112.tif 000002
【特許請求の範囲】
【請求項１】
面部の周縁から延設した側縁部の先端側を開口して、側縁部に嵌合領域を形成した単位体の複数個からなり、一方の単位体の開口部から嵌合領域へ他方の単位体の面部側を嵌入して積み重ねた積層体を形成し、隣接する単位体の重合箇所を水密に接合して積層体内部に複数の貯留室を形成し、隣接する貯留室どうしを単位体の面部に設けられた開孔で連通した積層型容器において、開孔の有る面部の周縁から延設した側縁部の先端側を開口して、面部から開口先端側へ至る背丈を前記単位体の面部から開口先端側へ至る背丈よりも低くした仲介体と、外面部の先端側を開口して内側に凹部を形成した蓋体とを備え、積層体の端側の単位体の開口先端側から嵌合領域へ仲介体の一部を嵌入して、単位体の嵌合領域から仲介体の嵌合案内部を突出させ、端側の単位体と仲介体との重合箇所を水密に接合して両者の間に貯留室を形成し、仲介体の嵌合案内部に蓋体の外面部の開口先端側を外嵌して、端側の単位体と蓋体とを突き合わせ、単位体と蓋体との突き合わせ箇所及び／又は仲介体と蓋体との嵌合箇所を水密に接合して仲介体と蓋体との間に貯留室を形成したことを特徴とする積層型容器。
【請求項２】
前記仲介体は、前記単位体の側縁部の途中を切断して先端側を除去した形状のものである請求項１記載の積層型容器。
【請求項３】
前記蓋体は、前記単位体と同一形状のものである請求項１又は２記載の積層型容器。
【請求項４】
前記蓋体は、前記単位体の側縁部の途中を切断して先端側を除去した形状のものである請求項１又は２記載の積層型容器である。
【発明の詳細な説明】
【技術分野】
【０００１】
本発明は、複数個の単位体を積み重ねて単位体どうしを水密に接合した積層型容器に関するものである。
【背景技術】
【０００２】
従来、積層型容器には、特許文献１に記載のものがある。この積層型容器７０は、図１０に示す如く、面部７１ａの周縁から延設した側縁部７１ｂの先端側を開口して、側縁部７１ｂに対面する間隔が先端側へ行く程に大きい嵌合領域７１ｂ−１を形成した単位体７１の複数個からなり、一方の単位体７１の開口部から内側へ他方の単位体７１の面部側を嵌入して積み重ねた積層体を形成し、隣接する単位体７０，７０の重合箇所を水密に接合して積層体内部に複数の貯留室を形成し、隣接する貯留室どうしを単位体７１の面部７１ａに設けた開孔７１ｃで連通したものである。
【特許文献１】特開２００３−３１４９７６
【発明の開示】
【発明が解決しようとする課題】
【０００３】
しかし、従来の積層型容器７０は、積層体の端側の単位体７１の開口先端側が開放した凹部となり、この凹部を貯留容量に含めることができず凹部の有効利用が図れなかった。そこで、本発明は、この問題を解決するために、積層体の端側の凹部を貯留域に用いることで貯留容量の大きな積層型容器を提供することを目的とする。
【課題を解決するための手段】
【０００４】
積層体の端側の凹部を貯留域に用いるために請求項１記載の本発明が採用した手段は、面部の周縁から延設した側縁部の先端側を開口して、側縁部に嵌合領域を形成した単位体の複数個からなり、一方の単位体の開口部から嵌合領域へ他方の単位体の面部側を嵌入して積み重ねた積層体を形成し、隣接する単位体の重合箇所を水密に接合して積層体内部に複数の貯留室を形成し、隣接する貯留室どうしを単位体の面部に設けられた開孔で連通した積層型容器において、開孔の有る面部の周縁から延設した側縁部の先端側を開口して、面部から開口先端側へ至る背丈を前記単位体の面部から開口先端側へ至る背丈よりも低くした仲介体と、外面部の先端側を開口して内側に凹部を形成した蓋体とを備え、積層体の端側の単位体の開口先端側から嵌合領域へ仲介体の一部を嵌入して、単位体の嵌合領域から仲介体の嵌合案内部を突出させ、端側の単位体と仲介体との重合箇所を水密に接合して両者の間に貯留室を形成し、仲介体の嵌合案内部に蓋体の外面部の開口先端側を外嵌して、端側の単位体と蓋体とを突き合わせ、単位体と蓋体との突き合わせ箇所及び／又は仲介体と蓋体との嵌合箇所を水密に接合して仲介体と蓋体との間に貯留室を形成したことを特徴とする積層型容器である。
【０００５】
製造コストの低減を図るために請求項２記載の本発明が採用した手段は、前記仲介体は、前記単位体の側縁部の途中を切断して先端側を除去した形状のものである請求項１記載の積層型容器である。
【０００６】
製造コストの低減を図るために請求項３記載の本発明が採用した手段は、前記蓋体は、前記単位体と同一形状のものである請求項１又は２記載の積層型容器である。
【０００７】
製造コストの低減を図るために請求項４記載の本発明が採用した手段は、前記蓋体は、前記単位体の側縁部の途中を切断して先端側を除去した形状のものである請求項１又は２記載の積層型容器である。
【発明の効果】
【０００８】
請求項１記載の本発明は、積層体の端側の単位体と蓋体とを仲介体を介して確実且つ水密に接合できると共に、端側の単位体と仲介体との間の貯留室及び蓋体の内側の貯留室に内圧が加わったとしても、端側の単位体と蓋体との境界部における拡大しようとする変形を阻止できる。その結果、本発明は、積層体の端側の凹部を貯留域に用いることで貯留容量の大きな積層型容器を提供することができる。
【０００９】
請求項２記載の本発明は、単位体の側縁部の途中を切除して仲介体を得たり、または、単位体と仲介体を同一のプレス型でプレス成型することが可能となり、製造コストの低減を図ることができる。
【００１０】
請求項３記載の本発明は、蓋体と単位体を共用することで、蓋体と単位体を別途製造する必要が無くなり製造コストの低減を図ることができる。
【００１１】
請求項４記載の本発明は、単位体の側縁部の途中を切除して蓋体を得たり、または、単位体と蓋体を同一のプレス型でプレス成型することが可能となり、製造コストの低減を図ることができる。
【発明を実施するための最良の形態】
【００１２】
本発明に係る積層型容器（以下、「本発明積層型容器」と言う。）を図面に示す実施形態に基づいて説明する。
【００１３】
（第１の実施の形態）
図１乃至図３は本発明の第１の実施の形態を示すものであり、図１は本発明積層型容器１を示すものであって、（Ａ）は左半分を断面した正面図、（Ｂ）は左半分を断面した右側面図である。図２は単位体２を示すものであって、（Ａ）は平面図、（Ｂ）は正面図である。図３は本発明積層型容器１の一部を拡大したものであって、（Ａ）は正面断面図、（Ｂ）は（Ａ）のＢ部を更に拡大した正面断面図、（Ｃ）は（Ａ）のＣ部を更に拡大した正面断面図である。
【００１４】
本実施の形態に係る本発明積層型容器１は、図１に示す如く、複数個の単位体２を積み重ねて隣接する単位体２，２の重合箇所を水密に接合して積層体３が形成され、積層体３の一端側（図中の上端側）の単位体２の開口先端側に仲介体４を介して蓋体５を水密に接合したものである。
【００１５】
前記単位体２は、図２に示す如く、ステンレススチール等の板素材をプレス成型等して得たものであり、一方（図中の上方）の開口部２ｄと対面する他方（図中の下方）の面部２ａと、面部２ａの周縁から延設して嵌合領域２ｂ−１を有する側縁部２ｂとから形成されている。前記積層体３の他端側（図１の下端側）を形成する以外の単位体２は、面部２ａに開孔２ｃを設け、積層体３の他端側を形成する単位体２は、面部２ａに開孔２ｃを設けていない。側縁部２ｂは、面部側から開口部側へ向かって行く程に対面する部位の間隔を拡大（すなわち、縦方向（図中の前後方向）及び横方向（図中の左右方向）の内幅寸法Ｙ及びＸを拡幅）するようになっており、面部側の彎曲部２ｅを除く全体を嵌合領域２ｂ−１としてある。開孔２ｃは、千鳥配列等で複数個を設けるか、または、左右の何れか一方側寄りに設け、隣接する単位体２，２を左右の向きが逆となるようにして積み重ねたときに、二個の単位体２，２の開孔２ｃが平面視状態で重ならないようにし、二個の単位体２，２の間に形成した貯留室Ｒ１（図１参照）を貯留液が蛇行しながら通過できるようにしてある。なお、単位体２は、図示は省略したが、面部２ａに切り起こし片等からなるデイスタントを設けて、隣接する単位体２，２を重ねたとき、一方の単位体２のデイスタントの先端を一方の単位体２の面部２ａに当接させて、両者を平行に積み重ねできるようにすることもある。
【００１６】
前記仲介体４は、図１及び図３に示す如く、ステンレススチール等の板素材をプレス成型等して得たものであり、一方（図中の上方）の開口部４ｄと対面する他方の面部４ａと、面部４ａの周縁から彎曲部を介して略垂直に起立するか又は面部４ａの周縁から直ちに略垂直に起立する側縁部４ｂとからなり、面部４ａに開孔４ｃを設けてある。仲介体４は、面部４ａと側縁部４ｂとの間に彎曲部を設けずに、必要に応じて設けてある。仲介体４は、背丈Ｈ４を単位体２の背丈Ｈ２より低くし、単位体２の開口部２ｄから内側へ面部（４ａ）側を嵌入して単位体２の側縁部２ｂに当接させたとき、単位体２の開口部２ｄ（すなわち、側縁部２ｂの開口先端部）から側縁部４ｂの先端側である嵌合案内部４ｆを突出する大きさの寸法となっている。
【００１７】
前記蓋体５は、図１及び図３に示す如く、前記単位体２と同一形状のものであって、単位体２の面部２ａに開孔２ｃを設けていないものが用いられる。すなわち、蓋体５は、一方（図中の下方）の開口部５ｄと対面する他方の面部５ａと、面部５ａの周縁から延設して嵌合領域５ｂ−１を形成した側縁部５ｂとから形成されている。蓋体５は、面部５ａと側縁部５ｂとから外面部が形成されている。
【００１８】
前記積層体３は、図３に示す如く、一方の単位体２の開口部２ｄから嵌合領域２ｂ−１の内側へ他方の単位体２の面部側を嵌入して適宜個数の単位体２を次々に積み重ねると共に、隣接する単位体２，２の重合箇所Ｅを接合材（例えばロウ材）６で水密に接合し、内部に形成された隣接する貯留室Ｒ１，Ｒ１どうしを単位体２の開孔２ｃで連通してある。また、積層体３は、端側（図３に示されている上端側）の単位体２の開口部２ｄから単位体２の内側へ前記仲介体４の一部である下半部（面部側寄り）を嵌入して、端側の単位体２の側縁部２ｂの先端から仲介体４の嵌合案内部４ｆ（側縁部４ｂの上半部）を突出させ、単位体２と仲介体４との重合箇所Ｆを接合材（例えばロウ材）６で水密に接合して両者の間に貯留室Ｒ２を形成してある。更に、積層体３は、仲介体４の嵌合案内部４ｆに蓋体５の側縁部５ｂの開口先端側を外嵌して、端側の単位体２と蓋体５とを突き合わせ、単位体２と蓋体５との突き合わせ箇所Ｇ及び／又は仲介体４と蓋体５との嵌合箇所Ｊを接合材（例えばロウ材）６で水密に接合して仲介体４と蓋体５との間に貯留室Ｒ３を形成して、本発明積層型容器１となっている。
【００１９】
複数個の単位体２、仲介体４及び蓋体５を用いて本発明積層型容器１を組み立てる手順は次の通りである。先ず、単位体２，２の重合箇所Ｅに対応するいずれか一方又は両方の単位体２の部位と、端側の単位体２と仲介体４との重合箇所Ｆに対応する単位体２及び仲介体４のいずれか一方又は両方の部位と、仲介体４と蓋体５との嵌合箇所Ｊに対応する仲介体４及び蓋体５のいずれか一方又は両方の部位との各々に、適宜厚みて帯状に成形した溶融型の接合材６を予め貼着し、または、ペースト状の接合材６を適宜厚みに塗着して準備する。次に、準備した複数個の単位体２を積み重ねて接合前の積層体３を形成し、積層体３を形成する端側（図中上端側）の単位体２に仲介体４を内嵌し、端側の単位体２から突出する仲介体４の嵌合案内部４ｆに蓋体５を外嵌して接合前の積層型容器の組み立てを行う。最後に、この組み立てられた接合前の積層型容器を加熱装置に入れ、溶融型の接合材６の溶融温度まで昇温して、重合箇所Ｅ，Ｆ及び嵌合箇所Ｊに溶融した接合材を展延させて単位体２、仲介体４及び蓋体５に溶融接合材６を付着させ、単位体２と蓋体５との突き合わせ箇所Ｇにも展延した接合材を充満させ、その後に、冷却して接合材６を凝固させて重合箇所Ｅ，Ｆ、突き合わせ箇所Ｇ及び嵌合箇所Ｊを水密に接合して本発明積層型容器１を完成する。
【００２０】
本発明積層型容器１を電気温水器の貯湯タンクとして用いるときには、上部及び底部等に給排用の配管７，８（図１参照）を接続すると共に、本発明積層型容器１の外側に面状の電気ヒータ（図示略）を巻付ける。単位体２や仲介体４等にヒータ挿通孔を設けてあるときには、棒状の電気ヒータを本発明積層型容器１の内側へ挿入して取付けることができる。
【００２１】
本発明積層型容器１は、積層体３の端側の単位体２と蓋体５とを仲介体４を介して確実且つ水密に接合できると共に、端側の単位体２と仲介体４との間の貯留室Ｒ２及び蓋体５の内側の貯留室Ｒ３に内圧が加わったとしても、端側の単位体２と蓋体５との境界部の拡幅変形を仲介体４で阻止でき、内圧式の容器として用いることが可能となり、積層体３の端側の単位体２の凹部を貯留域（Ｒ２およびＲ３の一部）に用いることで貯留容量を大きくすることが可能となる。
【００２２】
（第２の実施の形態）
図４及び図５は本発明の第２の実施の形態を示すものであり、図４は本発明積層型容器１１を示すものであって、（Ａ）は左半分を断面した正面図、（Ｂ）は左半分を断面した右側面図である。図５は本発明積層型容器１１の一部を拡大したものであって、（Ａ）は中間省略した正面断面図、（Ｂ）は（Ａ）のＢ部を更に拡大した正面断面図、（Ｃ）は（Ａ）のＣ部を更に拡大した正面断面図である。
【００２３】
本実施に係る本発明積層型容器１１が前記第１の実施に係る本発明積層型容器１（図１乃至図３参照）と相違する点は、形状の異なる蓋体１５を用いると共に、積層体３の下方に蓋体１５を外嵌接合したことであり、この相違点以外の構成については前記第１の実施に係る本発明積層型容器１と実質的に同一であって、同一符号は同一構成を示すものである。
【００２４】
前記蓋体１５は、ステンレススチール等の板素材をプレス成型等して得たものであり、彎曲した外面部１５ａの先端側を開口して開口部１５ｄを形成すると共に内側に凹部を形成してある。複数個の単位体２を積み重ねて形成した積層体３は、仲介体４の嵌合案内部４ｆに蓋体１５の外面部１５ａの開口先端側を外嵌して、単位体２と蓋体１５とを突き合わせ、単位体２と蓋体１５との突き合わせ箇所Ｇ及び／又は仲介体４と蓋体１５との嵌合箇所Ｊを接合材（例えばロウ材）６で水密に接合して仲介体４と蓋体１５との間に貯留室Ｒ３を形成すると共に、下方の単位体２の面部２ａ側に蓋体１５の外面部１５ａの開口先端側を外嵌して、単位体２と蓋体１５との嵌合箇所Ｋを接合材（例えばロウ材）６で水密に接合して単位体２と蓋体１５との間に貯留室Ｒ４を形成してある。
【００２５】
（第３の実施の形態）
図６は本発明の第３の実施の形態を示すものであり、（Ａ）は本発明積層型容器２１の一部を拡大したものであって、（Ａ）は中間省略した正面断面図、（Ｂ）は（Ａ）のＢ部を更に拡大した正面断面図である。
【００２６】
本実施に係る本発明積層型容器２１が前記第２の実施に係る本発明積層型容器１１（図５参照）と相違する点は、二個の仲介体４を用いたことであり、この相違点以外の構成については前記第２の実施に係る本発明積層型容器１１と実質的に同一であって、同一符号は同一構成を示すものである。
【００２７】
本発明積層型容器２１は、積層体３の端側（図中の上端側）の単位体２に内嵌した仲介体４と別の仲介体４とを、両者の開口先端部どうしを突き合わせるようにして重ね合わせ、別の仲介体４と蓋体１５との嵌合箇所Ｌを接合材（例えばロウ材）６で水密に接合して蓋体１５を補強してある。
【００２８】
（第４の実施の形態）
図７及び図８は本発明の第４の実施の形態を示すものであり、図７は本発明積層型容器３１の一部を拡大したものであって、（Ａ）は正面断面図、（Ｂ）は（Ａ）のＢ部を更に拡大した正面断面図、（Ｃ）は（Ａ）のＣ部を更に拡大した正面断面図である。図８は単位体３２を示すものであって、（Ａ）は中間省略した平面図、（Ｂ）は中間省略した正面図、（Ｃ）は拡大した正面断面図である。
【００２９】
本実施に係る本発明積層型容器３１が前記第１の実施に係る本発明積層型容器１（図１乃至図３参照）と大きく相違する点は、単位体３２として、側縁部３２ｂに傾斜角度の異なる嵌合領域３２ｂ−１及び嵌合領域３２ｂ−２を形成したものを用いると共に、仲介体３４として、単位体３２の側縁部３２ｂの途中（図８（Ｂ）に示す箇所Ｎ）を切断して開口先端側を除去した形状のものを用い、更に、蓋体３５として、単位体３２の側縁部３２ｂの途中（図８（Ｂ）に示す箇所Ｍ）の途中を切断して開口先端側を除去した形状のものを用いたことである。このように、仲介体３４及び蓋体３５は、単位体３２の側縁部３２ｂの途中を切除して得たり、または、単位体３２と同一のプレス型でプレス成型することが可能となり、製造コストの低減を図ることができる。
【００３０】
本実施の形態に係る本発明積層型容器３１は、図７（Ａ）に示す如く、複数個の単位体３２を積み重ねて隣接する単位体３２，３２の重合箇所を水密に接合して積層体３３が形成され、積層体３３の一端側（図中の上端側）の単位体３２の開口先端側に仲介体３４を介して蓋体３５を水密に接合したものである。
【００３１】
前記単位体３２は、図８に示す如く、ステンレススチール等の板素材をプレス成型等して得たものであり、一方（図中の上方）の開口部３２ｄと対面する他方の面部３２ａと、面部３２ａの周縁から延設して傾斜角度θ１，θ２の異なる嵌合領域３２ｂ−１及び嵌合領域３２ｂ−２を有する側縁部３２ｂとから形成されている。嵌合領域３２ｂ−１，３２ｂ−２は、面部側から開口部側へ向かって行く程に縦方向（図中の前後方向）及び横方向（図中の左右方向）の内幅寸法Ｙ及びＸを拡幅するようになっており、嵌合領域３２ｂ−１の傾斜角度θ１を嵌合領域３２ｂ−２の傾斜角度θ２より大きく（θ１＞θ２）してある。単位体３２は、面部３２ａに開孔３２ｃを必要に応じて設けてある。
【００３２】
前記仲介体３４は、ステンレススチール等の板素材をプレス成型等して得たものであり、一方（図中の上方）の開口部３４ｄと対面する他方の面部３４ａと、面部３４ａの周縁から彎曲部を介して傾斜角度θ１で起立し又は面部３４ａの周縁から直ちに傾斜角度θ１で起立した側縁部３４ｂとからなり、面部３４ａに開孔３４ｃを設けてある。仲介体３４は、背丈Ｈ４を単位体３２の嵌合領域３２ｂ−１までの背丈Ｈ２より低くし、単位体３２の開口部３２ｄから内側へ面部（３４ａ）側を嵌入して単位体３２の側縁部３２ｂ−１に当接させたとき、単位体３２の開口部３２ｄ（すなわち、側縁部３２ｂの開口先端部）から側縁部４ｂの先端側からなる嵌合案内部３４ｆを突出する大きさの寸法となっている。      
【００３３】
前記蓋体３５は、単位体３２の嵌合領域３２ｂ−２の途中（図８（Ｂ）に示す箇所Ｍ）を切断して開口先端側を除去した形状のものを用いてある。
【００３４】
前記積層体３３は、一方の単位体３２の開口部３２ｄから内側へ他方の単位体３２の面部側を嵌入して適宜個数の単位体３２を次々に積み重ねると共に、隣接する単位体３２，２の重合箇所Ｅを接合材（例えばロウ材）６で水密に接合し、内部に形成された隣接する貯留室Ｒ１，Ｒ１どうしを単位体３２の開孔３２ｃで連通してある。また、積層体３３は、端側（図７（Ａ）に示されている上端側）の単位体３２の開口部３２ｄから単位体３２の内側へ前記仲介体３４の一部である下半部（面部側寄り）を嵌入して、端側の単位体３２の嵌合領域３２ｂ−１の先端から仲介体３４の嵌合案内部３４ｆ（側縁部３４ｂの上半部）を突出させ、単位体３２と仲介体３４との重合箇所Ｆを接合材（例えばロウ材）６で水密に接合して両者の間に貯留室Ｒ２を形成してある。更に、積層体３３は、仲介体３４の嵌合案内部３４ｆに蓋体３５の嵌合領域３５ｂ−２（図７（Ｂ）参照）の開口先端側を外嵌して、端側の単位体３２と蓋体３５とを突き合わせ、単位体３１と蓋体３５との突き合わせ箇所Ｍを接合材（例えばロウ材）６で水密に接合して仲介体３４と蓋体３５との間に貯留室Ｒ３を形成して、本発明積層型容器３１となっている。
【００３５】
複数個の単位体３２、仲介体３４及び蓋体３５を用いて本発明積層型容器３１を組み立てる手順は次の通りである。先ず、図７（Ａ）に示す如く、複数個の単位体３２を積み重ねて積層体３３を形成し、積層体３３を形成する端側（図中上端側）の単位体３２に仲介体３４を内嵌し、端側の単位体３２から突出する仲介体３４の嵌合案内部３４ｆに蓋体３５を外嵌して接合前の積層型容器の組み立てを行う。その後に、単位体３２，３２の重合箇所Ｅに近接する先細部と、端側の単位体３２と仲介体３４との重合箇所Ｆに近接する先細部と、仲介体３４と蓋体３５との嵌合箇所Ｍに近接する先細部との各々に、線状等の溶融型の接合材６を配設して準備する。次に、接合材６を配設して組み立てられている接合前の積層型容器を加熱装置に入れ、溶融型の接合材６の溶融温度まで昇温して、重合箇所Ｅ，Ｆ及び嵌合箇所Ｍに溶融した接合材を展延させて単位体３２、仲介体３４及び蓋体３５に溶融接合材６を付着させ、その後に、冷却して接合材６を凝固させて重合箇所Ｅ，Ｆ、及び嵌合箇所Ｍを水密に接合して本発明積層型容器３１を完成する。
【００３６】
（第５の実施の形態）
図９は本発明の第５の実施の形態を示すものであり、（Ａ）は本発明積層型容器４１の一部を拡大したものであって、（Ａ）は正面断面図、（Ｂ）は（Ａ）のＢ部を更に拡大した正面断面図、（Ｃ）は（Ａ）のＣ部を更に拡大した正面断面図である。
【００３７】
本実施に係る本発明積層型容器４１が前記第１の実施に係る本発明積層型容器１（図１乃至図３参照）と相違する点は、仲介体５４として、単位体２の側縁部２ｂの途中を切断して開口先端側を除去した形状のものを用いると共に、仲介体５４の開口側を単位体２に向けて嵌合させ、単位体２の開口部２ｄ（すなわち、側縁部２ｂの開口先端部）から面部５２ａ側の嵌合案内部５４ｆを突出させたことであり、この相違点以外の構成については前記第１の実施に係る本発明積層型容器１と実質的に同一であって、同一符号は同一構成を示すものである。仲介体５４ｆ，面部５２ａに開孔５４ｃを設けてある。
【００３８】
仲介体５４は、単位体２の側縁部２ｂの途中を切除して得たり、または、単位体２と同一のプレス型でプレス成型することが可能となり、製造コストの低減を図ることができる。
【図面の簡単な説明】
【００３９】
【図１】本発明積層型容器の第１の実施の形態を示すものであり、（Ａ）は左半分を断面した正面図、（Ｂ）は左半分を断面した右側面図である。
【図２】第１の実施の形態における単位体を示すものであって、（Ａ）は平面図、（Ｂ）は正面図である。
【図３】第１の実施の形態における本発明積層型容器の一部を拡大したものであって、（Ａ）は正面断面図、（Ｂ）は（Ａ）のＢ部を更に拡大した正面断面図、（Ｃ）は（Ａ）のＣ部を更に拡大した正面断面図である。
【図４】本発明積層型容器の第２の実施の形態を示すものであり、（Ａ）は左半分を断面した正面図、（Ｂ）は左半分を断面した右側面図である。
【図５】第２の実施の形態における本発明積層型容器の一部を拡大したものであって、（Ａ）は中間省略した正面断面図、（Ｂ）は（Ａ）のＢ部を更に拡大した正面断面図、（Ｃ）は（Ａ）のＣ部を更に拡大した正面断面図である。
【図６】第３の実施の形態における本発明積層型容器の一部を拡大したものであって、（Ａ）は中間省略した正面断面図、（Ｂ）は（Ａ）のＢ部を更に拡大した正面断面図である。
【図７】第３の実施の形態における本発明積層型容器の一部を拡大したものであって、（Ａ）は正面断面図、（Ｂ）は（Ａ）のＢ部を更に拡大した正面断面図、（Ｃ）は（Ａ）のＣ部を更に拡大した正面断面図である。
【図８】第３の実施の形態における単位体を示すものであって、（Ａ）は中間省略した平面図、（Ｂ）は中間省略した正面図、（Ｃ）は拡大した正面断面図である。
【図９】第４の実施の形態における本発明積層型容器の一部を拡大したものであって、（Ａ）は正面断面図、（Ｂ）は（Ａ）のＢ部を更に拡大した正面断面図、（Ｃ）は（Ａ）のＣ部を更に拡大した正面断面図である。
【図１０】従来の積層型容器を示すものであって、（Ａ）は重ね合せ前の状態の単位体を示す斜視図、（Ｂ）は積層型容器を中間省略して示す側面図である。
【符号の説明】
【００４０】
２…単位体、３…積層体、４（３４，５４）…仲介体、５（１５，３５）…蓋体
【図１】
2007039112.tif 000003
【図２】
2007039112.tif 000004
【図３】
2007039112.tif 000005
【図４】
2007039112.tif 000006
【図５】
2007039112.tif 000007
【図６】
2007039112.tif 000008
【図７】
2007039112.tif 000009
【図８】
2007039112.tif 000010
【図９】
2007039112.tif 000011
【図１０】
2007039112.tif 000012